(57)【要約】【課題】本発明は、固定サイズの帽子のように変形のない外観を提供し、かつ、サイズを調整しなくても、所定範囲のサイズの人が心地よく着用できるフリーサイズの伸縮性帽子およびその製造方法を提供する。【解決手段】本発明の一実施形態にかかる帽子は、少なくとも一方向に伸縮可能な伸縮性素材からなり、頭に被せられる頭部収容部と、前記頭部収容部の下端部全体または一部から突出して日光を遮るための日除け部と、前記頭部収容部の下縁に沿って配置されて額から出る汗を吸収するための吸汗部材とを備え、前記吸汗部材は、着用者の額対応部位に非伸縮性素材からなる非伸縮性付加部を備えることを特徴とする。【選択図】図４Ａ
2011256514.tif 000002
【特許請求の範囲】
【請求項１】
少なくとも一方向に伸縮可能な伸縮性素材からなり、頭に被せられる頭部収容部と、前記頭部収容部の下縁に沿って配置されて額から出る汗を吸収し、前記頭部収容部の頭周方向に沿って伸縮可能な吸汗部材とを備える帽子において、
前記吸汗部材は、額対応部位に非伸縮性付加部を備えることを特徴とする帽子。
【請求項２】
前記非伸縮性付加部は、防水機能を有することを特徴とする請求項１に記載の帽子。
【請求項３】
前記非伸縮性付加部は、織物、編物、不織布、フィルムのうち少なくとも一つを縫製結合して形成したことを特徴とする請求項２に記載の帽子。
【請求項４】
前記非伸縮性付加部は、固着剤を塗布して形成したことを特徴とする請求項２に記載の帽子。
【請求項５】
前記非伸縮性付加部は、非伸縮性フィルムを超音波または高周波で熱結合して形成したことを特徴とする請求項２に記載の帽子。
【請求項６】
前記頭部収容部は、下縁に上糸が非伸縮糸からなる第１ステッチが形成されたことを特徴とする請求項１に記載の帽子。
【請求項７】
前記第１ステッチから所定間隔上方に上糸が非伸縮糸からなる、所定間隔離隔した第２ステッチが形成されたことを特徴とする請求項６に記載の帽子。
【請求項８】
前記第１ステッチは、前記上糸が所定間隔離隔して形成された一列のステッチ状であり、前記上糸の間をループ状に連結する第１下糸と第２下糸とを含むことを特徴とする請求項６に記載の帽子。
【請求項９】
前記第２ステッチは、前記上糸をループ状に連結する下糸を含むことを特徴とする請求項７に記載の帽子。
【請求項１０】
前記吸汗部材は、一種の伸縮バンドまたは生地（ｆａｂｒｉｃ）からなることを特徴とする請求項１に記載の帽子。
【請求項１１】
少なくとも一方向に伸縮可能な伸縮性素材からなり、頭に被せられる頭部収容部と、前記頭部収容部の下縁に沿って配置されて額から出る汗を吸収し、前記頭部収容部の頭周方向に沿って伸縮可能な吸汗部材とを備える帽子の製造方法において、
前記吸汗部材に部分的に非伸縮性付加部を形成するステップを含むことを特徴とする帽子の製造方法。
【請求項１２】
前記非伸縮性付加部を形成するステップは、非伸縮性織物、非伸縮性編物、不織布、フィルムの少なくとも一つを前記吸汗部材に部分的に取り付けるステップ、固着剤を前記吸汗部材に部分的に塗布するステップ、または、非伸縮性フィルムを前記吸汗部材に部分的に超音波または高周波で熱結合するステップのうちの一つを含むことを特徴とする請求項１１に記載の帽子の製造方法。
【請求項１３】
前記少なくとも一つ以上が伸縮性を有する複数の布片を縫製して頭部収容部を形成するステップと、
前記頭部収容部の下縁に沿って所定間隔をおいて非伸縮糸を上糸として用いる第１ステッチを形成するステップとを含むことを特徴とする請求項１１に記載の帽子の製造方法。
【請求項１４】
前記第１ステッチから所定間隔上方に非伸縮糸を上糸として用いる第２ステッチを形成するステップを含むことを特徴とする請求項１３に記載の帽子の製造方法。
【請求項１５】
前記第１ステッチの前記上糸は、所定間隔離隔して形成された一列のステッチ状をなし、前記上糸の間をループ状に連結する第１下糸と第２下糸とを含むことを特徴とする請求項１３に記載の帽子の製造方法。
【請求項１６】
前記第２ステッチの上糸は、所定間隔離隔して形成された一列のステッチ状に形成され、前記上糸の間を下糸が連結することを特徴とする請求項１４に記載の帽子の製造方法。
【請求項１７】
前記第２ステッチを形成した後、前記頭部収容部の下縁に沿って前記吸汗部材をインチテープなしに縫製するステップを含むことを特徴とする請求項１６に記載の帽子の製造方法。
【発明の詳細な説明】
【技術分野】
【０００１】
本発明は、伸縮性帽子およびその製造方法に関し、より詳細には、固定サイズの帽子のように変形のない外観を提供し、かつ、サイズを調整しなくても、所定範囲のサイズの人が心地よく着用できる伸縮性帽子およびその製造方法に関する。
【背景技術】
【０００２】
一般的に、帽子は、頭の周りを囲むように形成された頭部収容部と、前記頭部収容部の下端の一部に結合されて日光などを遮る日除け部を含む。
【０００３】
また、前記頭部収容部と日除け部との結合部分には、額に接触して額から出る汗を吸収できるように、吸汗部材がさらに備えられる。
【０００４】
フリーサイズの帽子またはワンサイズフィッツオールタイプの帽子の一つにおいては、前記吸汗部材の代わりに、弾性バンドが、頭周方向に伸縮性を提供し、かつ、吸汗部材の役割を果たせるように、頭部収容部の下部の頭周方向に沿って提供される。
【０００５】
しかし、このようなフリーサイズの帽子は、サイズの調整が容易で、頭の形状をそのまま頭部収容部を通して具現できるという利点はあるが、頭部収容部と吸汗部材の伸縮性により帽子の形態安定性が不十分であるという問題があった。
【０００６】
特に、頭部収容部に前芯を取り付けた場合、前芯の取り付けられた頭部収容部の前部と日除け部はあまり伸びないのに対し、前記吸汗部材は、弾性バンドからなって伸縮性を有するため、これらを縫製により取り付けると、頭部収容部の前部、例えば、前記頭部収容部の前部と日除け部との縫製部分に沿ってしわが寄ったり、前記頭部収容部の側部が内側に曲がる現象などが発生する。
【０００７】
また、頭部収容部の側部や後部も、頭部収容部をなす生地の伸縮程度と、前記吸汗部材として用いられた弾性バンドの伸縮程度とが異なり、縫製糸の張力により頭部収容部の下縁に沿ってしわが発生する。
【０００８】
この問題は、アイロンがけによっても除去されにくく、アイロンがけにより一時的に除去されたとしても、長期間箱内に保管されたり、売り場に並べられたりする場合のように、時間の経過とともにより深刻になる。
【０００９】
このため、帽子の変形された外観により、着用者にとって視覚的に不快感を感じさせるだけでなく、同じサイズのラベルに対して実際の帽子サイズが一定でない場合、顧客の信頼性を低下させることがあった。
【発明の概要】
【発明が解決しようとする課題】
【００１０】
そこで、本発明は、上記の問題を解決するためになされたものであって、本発明の目的は、固定サイズの帽子のように変形のない外観を提供し、かつ、サイズを調整しなくても、所定範囲のサイズの人が心地よく着用できるフリーサイズの伸縮性帽子およびその製造方法を提供することである。
【課題を解決するための手段】
【００１１】
上記の目的を達成するための本発明の一実施形態によれば、少なくとも一方向に伸縮可能な伸縮性素材からなり、頭に被せられる頭部収容部と、前記頭部収容部の下縁に沿って配置されて額から出る汗を吸収し、前記頭部収容部の頭周方向に沿って伸縮可能な吸汗部材とを備える帽子において、前記吸汗部材は、額対応部位に非伸縮性素材からなる非伸縮性付加部を備えることを特徴とする。
【００１２】
本発明の他の実施形態によれば、少なくとも一方向に伸縮可能な伸縮性素材からなり、頭に被せられる頭部収容部と、前記頭部収容部の下縁に沿って配置されて額から出る汗を吸収し、前記頭部収容部の頭周方向に沿って伸縮可能な吸汗部材とを備える帽子の製造方法において、前記吸汗部材の額対応部位に非伸縮性付加部を額に当接しないように形成するステップを含むことを特徴とする。
【発明の効果】
【００１３】
本発明の一実施形態にかかる帽子は、吸汗部材が全体的に伸縮性素材からなっているが、着用者の額に対応する部分は、非伸縮性物質が取り付けられたりコーティングされているため、頭部収容部に密着して縫製することができ、このため、着用時に額に密着せずに圧迫感を最小化し、非伸縮性物質が防水性を有する場合、頭または額から流れる汗が頭部収容部の外部に滲み出て帽子に染みが発生する問題を解決することができる。
【００１４】
また、本発明の一実施形態にかかる帽子は、吸汗部材の額に対応する部分のうち、額に当たらない部分が非伸縮性素材からなり、吸汗部材と頭部収容部と日除け部とを縫製する場合、頭部収容部および日除け部を伸ばして縫製する必要がないため、前板下端のしわ寄り現象や両側のダブルステッチ部位の曲がる現象などを防止できるため、仕立て帽子のように一定に縫製可能である。
【００１５】
また、本発明の一実施形態にかかる帽子は、頭部収容部の下端が非伸縮糸と伸縮糸により縫製されるため、頭部収容部が伸縮性素材で製造されても、頭部収容部の下端が伸びるのを防止することができ、常に一定の頭部収容部の下端の周長を維持できるため、伸縮性帽子のサイズ範囲を一定に維持することができる。
【００１６】
また、本発明の一実施形態にかかる帽子の製造方法は、頭部収容部に吸汗部材または日除け部を取り付ける場合、頭部収容部の下端に形成されるガイドステッチが縫製のためのガイドの役割を果たすため、別のインチテープを取り付ける必要がないため、製品の品質を向上させるだけでなく、生産性も向上させることができる。
【００１７】
また、本発明の一実施形態にかかる帽子は、頭部収容部の下端にガイドステッチが形成され、インチテープを用いないことから、吸汗部材に厚く段差がついたり、頭部収容部の下端に変形が生じるのを防止することができる。
【００１８】
また、本発明の一実施形態にかかる帽子は、従来の吸汗部材が、伸縮性のために、前部を伸ばして頭部収容部と縫い合わせることにより、吸汗部材の前部が額側に傾いて額に圧迫感を感じさせたが、本発明の吸汗部材は、額対応部位に非伸縮性付加部を形成し、頭部収容部に密着させて縫製するため、吸汗部材と額との間に一定の空間が生じて圧迫感を軽減することができる。
【００１９】
また、本発明の一実施形態にかかる帽子は、頭部収容部の下端が吸汗部材と縫い合わせられる前に、下端の周りを予め非伸縮糸と伸縮糸を用いて縫製しているため、糸解れが防止可能であり、頭部収容部の下端が巻き上がる問題を解決することができ、これにより、帽子の高さが変わることを防止することができる。
【図面の簡単な説明】
【００２０】
【図１Ａ】本発明の一実施形態にかかる帽子の斜視図である。
【図１Ｂ】本発明の一実施形態にかかる帽子の底面図である。
【図２Ａ】図１ＡのＡ−Ａ線に沿った断面図である。
【図２Ｂ】本発明の一実施形態にかかる帽子に用いられた吸汗部材の斜視図である。
【図３Ａ】本発明の一実施形態にかかる帽子に用いられた頭部収容部の側面図である。
【図３Ｂ】本発明の一実施形態にかかる帽子に用いられた頭部収容部の下縁の第１ステッチを示す図である。
【図４Ａ】本発明の変形実施形態にかかる帽子に用いられた頭部収容部の側面図である。
【図４Ｂ】本発明の変形実施形態にかかる帽子に用いられた頭部収容部の下縁から所定の高さに第２ステッチを含む図である。
【図５】本発明の一実施形態にかかる帽子の製造方法を説明するためのフローチャートである。
【発明を実施するための形態】
【００２１】
以下、添付図面を参照して本発明の好ましい実施形態を詳細に説明する。
【００２２】
図１Ａは、本発明の一実施形態にかかる帽子の斜視図であり、図１Ｂは、本発明の一実施形態にかかる帽子の底面図であり、図２Ａは、図１ＡのＡ−Ａ線に沿った断面図であり、図２Ｂは、本発明の一実施形態にかかる帽子に用いられた吸汗部材の斜視図である。
【００２３】
まず、本明細書において、「非伸縮／非伸縮性」という用語の意味を定義すると、「非伸縮／非伸縮性」とは、素材に一定の力が加えられた時、形の変形とともにある程度の長さの伸長があり得るが、素材自体は元の状態に回復しないことを意味する。例えば、ビニールや、フィルム、伸縮糸を含まない生地などのように、ある方向に引っ張ると、形の変形とともに長さが若干伸びたかのように見えるが、素材自体は伸縮しないことを意味する。
【００２４】
より具体的には、伸縮糸を含まない織物、編物、不織布などの生地、またはビニール、フィルム、革などの素材が、これに相当する。また、ポリウレタン（ＰＵ）またはアクリルなどの合成化合物からなる溶剤（樹脂）をコーティングしたり、ゴムまたはゾル（ｓｏｌ）などを用いて厚くプリントすることにより非伸縮性を与えることもできる。
【００２５】
図１Ａおよび図１Ｂに示すように、本発明の一実施形態にかかる帽子１００は、着用者の頭に被せられる頭部収容部１０１と、前記頭部収容部１０１に結合されて日光を遮る日除け部１０３と、前記頭部収容部１０１の下縁に沿ってその内周面に設けられた伸縮性吸汗部材１０５とを備える。
【００２６】
図１Ａおよび図１Ｂは、単に、様々な種類の応用例の一例を示すものであって、本発明は、図１Ａおよび図１Ｂに示す帽子に限定されず、縁のある帽子や、サンキャップ、またはその他の多様な種類の帽子に適用可能である。
【００２７】
本発明の一実施形態にかかる帽子の頭部収容部１０１は、正面の布片、側面の布片、および背面の布片など、複数の布片１０１ａからなり、前記布片のいずれか一つ以上の布片が頭周方向に伸縮性を有する。
【００２８】
このため、前記頭部収容部１０１の布片の少なくとも一つ以上の布片１０１ａは、織物または編物の生地からなり、前記生地は、弾性糸または加工糸（ｔｅｘｕｒｅｄ  ｙａｒｎ）を含むことができる。
【００２９】
また、前記吸汗部材１０５も、頭周方向に伸縮性を有することができ、このため、弾性糸を含む編物または織物の生地を使用することもできる。
【００３０】
図２Ａに示すように、前記吸汗部材１０５は、伸縮性を有する編物または織物の生地からなり得、また、図２Ｂに示すように、２重となるように円筒状に編まれた編物または織物の生地を用いることもでき、加工糸からなる編物または織物の生地で作られたカバーにより包まれることも可能であり、カバーは、伸縮性を高めるために、ポリウレタンまたはゴム糸のような弾性糸を含むこともできる。
【００３１】
このように、伸縮性材料からなる吸汗部材１０５は、吸汗部材１０５の一面の一部であって、つまり、前方部の額に当たらない部分に、非伸縮性付加部１０５ａを有する。
【００３２】
前記非伸縮性付加部１０５ａは、防水処理した織物、編物、不職物などの非伸縮性生地を前記吸汗部材１０５の一面に縫製したり、非伸縮性フィルムを縫製するかまたは接着液を用いて常温または高温で接着したり、超音波または高周波を用いて取り付けることもでき、固着剤のような溶剤を塗布またはコーティングして形成することができる。
【００３３】
前記非伸縮性付加部１０５ａは、防水機能を有し、前記吸汗部材１０５は、吸収性の良い生地からなって汗を吸収しやすくすることができ、額に対応する部分には、前記非伸縮性付加部１０５ａが着用者の額に当接しないように配置されることにより、頭または額から流れる汗が最も目につきやすい頭部収容部の前部に汗が滲み出て染みが発生するのを防止することができる。
【００３４】
また、前記吸汗部材１０５を全体的に伸縮性素材で形成するが、前記吸汗部材１０５の前方部に非伸縮性付加部１０５ａを形成するため、縫製時に吸汗部材１０５を伸ばして縫製する必要がないため、着用時に額への圧迫が軽減されて着用感を向上させることができ、表１に示すように、本発明の一実施形態にかかる帽子（実施形態）１０００個と、従来の帽子（比較例）１０００個に対し、頭部収容部１０１の前板下端のしわ寄り現象や、両側のダブルステッチ部位の曲がる現象などを調べた結果、本発明の帽子は、従来の帽子に比べてこのような現象がほとんど発生しないことがわかった。
【００３５】
【表１】
2011256514.tif 000003
【００３６】
これは、前記非伸縮性付加部１０５ａを含む前記吸汗部材１０５の前方部が、前記頭部収容部１０１と日除け部１０３との縫製部分に相当するが、本発明の一実施形態にかかる伸縮性帽子においては、前記吸汗部材１０５を伸ばして縫製する必要がないからである。
【００３７】
これに対し、従来の伸縮性帽子においては、前記吸汗部材１０５を前記頭部収容部１０１に縫製するために伸ばして縫製しなければならないが、縫製後、再び元の状態に回復しようとする復元力のため、前記頭部収容部の両側の曲がる現象やしわ寄り現象が発生しやすくなるからである。
【００３８】
つまり、本発明の一実施形態にかかる帽子は、汗受け部を伸ばして縫製する必要もなく、前記吸汗部材１０５の前方部を伸ばして縫製しないことから、生産性も増加するだけでなく、仕立て帽子のように常に一定に縫製可能である。
【００３９】
一方、従来の伸縮性帽子の場合、布片１０１ａを連結して吸汗部材１０５と直に縫い合わせ、頭部収容部１０１の下縁の糸解れおよび巻き上がり現象が発生することにより、帽子の高さが低くなるという問題があった。
【００４０】
次に、図３Ａおよび図３Ｂを参照して、帽子の高さの変化や、頭部収容部１０１の下縁の糸解れおよび巻き上がり現象が防止された本発明の一実施形態にかかる帽子について説明する。
【００４１】
図３Ａは、本発明の一実施形態にかかる帽子に用いられた頭部収容部の側面図であり、図３Ｂは、本発明の一実施形態にかかる帽子に用いられた頭部収容部の下縁の第１ステッチを示す図である。
【００４２】
本発明の一実施形態にかかる帽子１００は、図３Ａおよび図３Ｂに示すように、布片１０１ａを互いに連結して頭部収容部１０１を形成した後、前記頭部収容部１０１の下縁に沿って糸の解れおよび頭部収容部の下端の巻き上がり問題を改善するために、第１ステッチ１０７を形成した。
【００４３】
特に、前記頭部収容部１０１の前方部に前芯を取り付ける場合、前記第１ステッチ１０７は、前記頭部収容部１０１の側部および後方部の下縁に沿ってのみ提供可能である。これは、前記前芯のために、前記頭部収容部１０１の前方部には、糸の解れや下端の巻き上がり問題が発生しないからである。
【００４４】
このとき、前記頭部収容部１０１の前方部に前記日除け部１０３が取り付けられる位置を案内するためのガイドステッチがさらに提供可能である。
【００４５】
本発明の一実施形態にかかる帽子１００において、図３Ｂに示すように、頭部収容部１０１の下縁に沿って糸の解れを防止するために、１本の上糸１０７ａと２本の下糸１０７ｂ、１０７ｃとが第１ステッチ１０７を形成する。
【００４６】
これをより詳細に説明すると、前記上糸１０７ａは、所定間隔離隔したステッチ状に頭部収容部１０１の下端から所定の高さに形成され、前記下糸１０７ｂ、１０７ｃの一方１０７ｂがループ状に前記上糸１０７ａ間を互いに絡めて縫製し、前記下糸の他方１０７ｃは、前記頭部収容部１０１の下端において前記一方の下糸１０７ｂとループ状に互いに絡められ、前記頭部収容部１０１の下端の糸が解けるのを防止することができる。
【００４７】
前記上糸１０７ａを非伸縮糸として用い、前記下糸１０７ｂ、１０７ｃは伸縮糸として用いることができる。
【００４８】
前記上糸１０７ａを非伸縮糸として用いることにより、所定の一定の張力を維持し、前記下糸１０７ｂ、１０７ｃを伸縮糸として用いても、糸がもつれて縫製時間が長くなったり、頭の周りに沿ってしわや両側が引っ張られて曲がる現象などを防止することができる。
【００４９】
つまり、こうすることで、前記頭部収容部１０１の頭周サイズを一定に維持しながらも、縫製速度を高めることができ、頭周方向に生地の伸縮性を維持し、過度に伸びたり緩まないようにすることができ、下端の糸解れを容易に防止できるため好ましい。
【００５０】
ここで、伸縮糸は、スパンデックス糸、例えばポリウレタン（ＰＵ）糸、加工糸、仮撚糸、ストレッチ糸がすべて使用可能である。
【００５１】
また、図４Ａおよび図４Ｂを参照して、帽子の高さの変化や、頭部収容部１０１の下縁の糸解れおよび巻き上がり現象が防止された本発明の変形実施形態にかかる帽子について説明する。
【００５２】
図４Ａは、本発明の変形実施形態にかかる帽子に用いられた頭部収容部の側面図であり、図４Ｂは、本発明の変形実施形態にかかる帽子に用いられた頭部収容部の下縁から所定の高さに第２ステッチを含む図である。
【００５３】
本発明の変形実施形態にかかる帽子１００は、図４Ａおよび図４Ｂに示すように、布片１０１ａを互いに連結して頭部収容部１０１を形成した後、前記頭部収容部１０１の下縁に沿って糸の解れと頭部収容部の下端の巻き上がり問題を改善するため第１ステッチ１０７のほか、前記頭部収容部１０１の下縁から所定の距離だけ離隔した上部に第２ステッチ１０９を形成することができる。
【００５４】
前記第２ステッチ１０９は、前記第１ステッチ１０７から所定間隔離隔して配置され、前記頭部収容部１０１の下縁に沿って所定間隔をおいて一列に配置されたステッチ状の上糸１０９ａは、図４Ａおよび図４Ｂに示した通りである。
【００５５】
前記第２ステッチ１０９をより詳細に説明すると、図４Ｂに示すように、前記上糸１０９ａがループ状の下糸１０９ｂによって絡められて形成される。前記下糸１０９ｂは、前記頭部収容部１０１の布片１０１ａの背面に示されることになる。
【００５６】
前記頭部収容部１０１の下縁に沿った前記第２ステッチ１０９は、日除け部１０３または吸汗部材１０５を取り付ける際、縫い代間隔を基準に従って取ることが可能なガイドラインの役割を果たし、前記日除け部１０３または前記吸汗部材１０５を取り付ける前に縫い代間隔を取るために、頭部収容部の下縁に配置されるインチテープを用いる必要がなくなるため好適である。
【００５７】
つまり、インチテープが必要ないため、前記吸汗部材１０５の一面に前記非伸縮性付加部１０５ａが付加されても、厚く段差がついたり変形したり、着用時に圧迫感や堅さを感じることなく、帽子の生産効率を高めることができる。
【００５８】
本発明の変形実施形態にかかる帽子１００において、図４Ｂに示しているように、前記頭部収容部１０１の下縁に沿って糸の解れを防止するために、１本の上糸１０７ａと２本の下糸１０７ｂ、１０７ｃとを用いて第１ステッチ１０７が形成できることは、本発明の一実施形態と同様であるため、詳細な説明は省略する。
【００５９】
一方、本発明の変形実施形態にかかる帽子においても、前記第２ステッチの上糸１０９ａは非伸縮糸として用い、下糸１０９ｂは伸縮糸として用いることができる。
【００６０】
同様に、前記上糸１０９ａを非伸縮糸として用いることにより、所定の一定の張力を維持し、前記頭部収容部１０１に日除け部１０３または吸汗部材１０５を取り付ける際、縫い代間隔を基準に従って取ることが可能なガイドラインの役割を果たすことができる。
【００６１】
また、前記頭部収容部１０１が伸縮性素材からなった場合でも、生地が伸びるのを防止し、前記頭部収容部１０１が常に一定の周長を維持できるようにし、インチテープを省略できるため、生産工程を単純化させることができる。
【００６２】
さらに、帽子１００が完成した後、頭部収容部の下縁に沿って上糸１０７ａ、１０９ａが所定の張力を維持するため、しわが寄る現象を防止することができ、吸汗部材１０５を取り付ける際にも、下縁が伸びることなく、一定に縫製可能である。
【００６３】
次に、図５を参照して本発明の一実施形態にかかる帽子の製造方法を説明する。
【００６４】
本発明の一実施形態にかかる帽子の製造方法およびその効果についてはすでに説明しており、重複を避けるために、ここでは簡単に説明する。
【００６５】
本発明の一実施形態にかかる帽子の製造方法において、吸汗部材１０５を伸縮性材料で構成し、前記吸汗部材１０５の額対応部位に非伸縮性付加部１０５ａを額に当接しないように形成する。
【００６６】
前記非伸縮性付加部１０５ａは、非伸縮性織物、非伸縮性編物、不織布のうち少なくとも一つを縫製により取り付けたり、固着剤を塗布したり、非伸縮性フィルムを超音波または高周波で熱結合して取り付けることができる。
【００６７】
一方、別途に、前記少なくとも一つ以上が伸縮性を有する複数の布片１０１ａを縫製し、頭部収容部１０１を少なくとも一方向に伸縮可能に形成するが、前記頭部収容部１０１の下縁に沿って所定間隔をおいて非伸縮糸を上糸１０７ａとして用い、前記下縁の糸解れを防止するための第１ステッチ１０７を形成することができる。
【００６８】
もちろん、前記第１ステッチ１０７から所定間隔上方に非伸縮糸を上糸１０９ａとして用い、一連のガイドラインを形成する第２ステッチ１０９を形成することができる。このとき、前記第１ステッチ１０７と前記第２ステッチ１０９は順次または同時に形成可能である。
【００６９】
このように、第１ステッチ１０７および第２ステッチ１０９を頭部収容部１０１の下縁に形成した後、インチテープを用いなくても、前記非伸縮性付加部１０５ａが形成された吸汗部材１０５を、頭部収容部１０１と日除け部１０３との結合後に縫い合わせることができる。
【００７０】
前記第１ステッチ１０７は、前記上糸１０７ａを所定間隔離隔して形成された一列のステッチ状に形成し、前記上糸１０７ａを第１下糸１０７ｂと第２下糸１０７ｃとをループ状に連結して形成することができる。
【００７１】
前記第２ステッチ１０９は、前記上糸１０９ａを所定間隔離隔して形成された一列のステッチ状に形成し、前記上糸１０９ａの間を下糸１０９ａで連結して形成することができる。
【符号の説明】
【００７２】
１００：帽子、１０１：頭部収容部、１０３：日除け部、１０５：吸汗部材、１０５ａ：非伸縮性付加部、１０７：第１ステッチ、１０９：第２ステッチ、１０７ａ、１０９ａ：非伸縮糸、１０７ｂ、１０７ｃ、１０９ｂ：伸縮糸
【図１Ａ】
2011256514.tif 000004
【図１Ｂ】
2011256514.tif 000005
【図２Ａ】
2011256514.tif 000006
【図２Ｂ】
2011256514.tif 000007
【図３Ａ】
2011256514.tif 000008
【図３Ｂ】
2011256514.tif 000009
【図４Ａ】
2011256514.tif 000010
【図４Ｂ】
2011256514.tif 000011
【図５】
2011256514.tif 000012